(57)【要約】【課題】光ディスクの半径方向におけるチルト量の検出位置を記録もしくは再生位置に対して調整しつつ、チルト量の検出と記録もしくは再生を同時に行う。【解決手段】チルトセンサー２３をＣＤ用光ピックアップ１１に設け、ＤＶＤ用光ピックアップ１２の傾きを調節するためのサブシャーシ２４及び高さ調節機構２５等を設け、ＣＤ用光ピックアップ１１及びＤＶＤ用光ピックアップ１２をそれぞれのガイド軸１８，２６に沿って移動させつつ、光ディスク１６の記録もしくは再生位置をＤＶＤ用光ピックアップ１２により読取り、この位置で光ディスク１６のチルト量をＣＤ用光ピックアップ１１のチルトセンサー２３により検出し、この検出されたチルト量に応じてＤＶＤ用光ピックアップ１２からのレーザー光軸の傾きを調節し、光ディスク１６のチルト量を補正している。【選択図】図１
2004158080.tif 000002
【特許請求の範囲】
【請求項１】
少なくとも２つの光ピックアップと、
該各光ピックアップを光ディスクの半径方向に移動させるそれぞれのガイド手段と、
該各光ピックアップの少なくとも一方に設けられ、光ディスクの傾きを検出するチルト検出手段と、
該各光ピックアップの少なくとも他方に設けられ、チルト検出手段の検出結果に応じて、光ディスクに対する光ピックアップからのレーザー光軸の傾きを調節するチルト補正手段とを備え、
該各光ピックアップの一方ではチルト検出手段による光ディスクの傾きの検出を行い、該各光ピックアップの他方では光ディスクの記録もしくは再生とチルト補正手段による光ピックアップからのレーザー光軸の傾きの調節を行うことを特徴とする光ディスクドライブ装置。
【請求項２】
チルト検出手段を設けた他方の光ピックアップからのレーザー光軸の傾きが光ディスクを載せるターンテーブルのディスク受け面に対して０となる様に、該ターンテーブルのディスク受け面に対する該他方の光ピックアップのガイド手段の位置を調節固定したことを特徴とする請求項１に記載の光ディスクドライブ装置。
【請求項３】
各光ピックアップをそれぞれのガイド手段により光ディスクの半径方向に移動させ、チルト検出手段を設けた一方の光ピックアップの移動をチルト補正手段を設けた他方の光ピックアップの移動よりも先行させ、光ディスクの半径方向の同一位置では、一方の光ピックアップのチルト検出手段による光ディスクの傾きの検出をチルト補正手段による他方の光ピックアップからのレーザー光軸の傾きの調節よりも先行させることを特徴とする請求項１に記載の光ディスクドライブ装置。
【請求項４】
チルト補正手段を設けた他方の光ピックアップ側で光ディスクの記録もしくは再生に関する初期設定を行っている間に、チルト検出手段を設けた一方の光ピックアップをガイド手段により光ディスクの半径方向に移動させて、チルト検出手段により光ディスクの傾きを検出することを特徴とする請求項１に記載の光ディスクドライブ装置。
【請求項５】
チルト検出手段により検出された光ディスクの傾きを記憶するメモリを備えることを特徴とする請求項４に記載の光ディスクドライブ装置。
【請求項６】
第１光ピックアップを光ディスクの半径方向に移動させつつ、第１光ピックアップによる光ディスクの記録もしくは再生を行い、光ディスクの半径方向における第１光ピックアップの位置を検出するステップと、
この検出された第１光ピックアップの位置もしくは該位置近傍に、第２光ピックアップを移動させて、第２光ピックアップ側で光ディスクの傾きを検出するステップと、
この検出された光ディスクの傾きに応じて、第１光ピックアップからのレーザー光軸の傾きの調節を行うステップと
を含むことを特徴とする光ピックアップのチルト補正方法。
【発明の詳細な説明】
【０００１】
【発明の属する技術分野】
本発明は、光ディスクの記録もしくは再生を行う光ディスクドライブ装置、及び光ピックアップのチルト補正方法に関する。
【０００２】
【従来の技術】
周知の様に光ディスクは、基本材料が合成樹脂であるため、成形時に湾曲変形することがある。この変形した光ディスクを光ディスクドライブ装置のターンテーブルに載せると、光ディスクの記録面が光ピックアップに対して傾き、光ピックアップから出射されたレーザー光が光ディスクの記録面に垂直に照射されなくなる。この状態では、光ディスクの記録面上でのレーザー光のスポットが変形して、コマ収差が発生し、光ディスクの記録エラーや再生エラーが発生する。
【０００３】
このため、例えば特許文献１には、光ディスクの記録面の傾き角（チルト量）をチルトセンサーにより検出しつつ、この検出されたチルト量に応じて光ピックアップからのレーザー光軸の傾きを調節し、光ピックアップから出射されたレーザー光を光ディスクの記録面に垂直に入射させて、チルト量を補正するという技術が開示されている。
【０００４】
図３は、従来の光ディスクドライブ装置の一例を示している。この装置においては、光ディスク１０１をクランパー１０２とターンテーブル１０３間に把持し、ターンテーブル１０３をスピンドルモータ１０４により回転させる。また、スピンドルモータ１０４をメインシャーシ１０５により固定支持している。サブシャーシ１０６の一端を軸１０６ａによりメインシャーシ１０５に連結して、サブシャーシ１０６を傾斜可能に支持し、サブシャーシ１０６の他端を支持部材１１０によりメインシャーシ１０５に対して昇降自在に支持して、サブシャーシ１０６の他端を高さ調節機構１０７により昇降させ、サブシャーシ１０６の傾きを調節する。ガイド軸１０８をサブシャーシ１０６上に固定し、光ピックアップ１０９をガイド軸１０８により光ディスク１０１の半径方向に移動自在に支持し、光ピックアップ１０９を搬送機構１１１により移動させる。光ディスク１０１の傾きを検出するチルトセンサー１１２を光ピックアップ１０９に付設している。
【０００５】
ここでは、光ピックアップ１０９を光ディスク１０１の半径方向に移動させつつ、光ピックアップ１０９による光ディスク１０１の記録もしくは再生を行うと同時に、光ディスク１０１のチルト量をチルトセンサー１１２により検出し、この検出した光ディスク１０１のチルト量に応じてサブシャーシ１０６の傾きを高さ調節機構１０７により調節して、光ピックアップ１０９の傾きを調節し、光ピックアップ１０９から出射されたレーザー光を光ディスク１０１の記録面に垂直に照射させている。これにより、チルト量が補正される。
【０００６】
また、特許文献２には、相互に異なる２種類の光ディスクに対応する２つの光学系を内蔵する光ピックアップを用い、光ディスクの記録もしくは再生を一方の光学系で行っているときに、該光ディスクのチルト量を他方の光学系により検出するという技術が開示されている。
【０００７】
【特許文献１】
特開平９−７２０７号公報
【特許文献２】
特開２０００−７６６７９号公報
【０００８】
【発明が解決しようとする課題】
しかしながら、特許文献１，２のいずれの技術においても、光ディスクのチルト量の検出位置が光ディスクの記録もしくは再生位置に対して固定されており、チルト量の検出位置を記録もしくは再生位置に対して調節することができなかった。あるいは、チルト量の検出位置を記録もしくは再生位置に一致させることができなかった。
【０００９】
また、特許文献２の技術では、光ディスクの記録もしくは再生のために一方の光学系のフォーカスを合わせたときに、他方の光学系のフォーカスが合わなくなる。このため、例えば光ディスクの基盤の厚さや屈折率等の変動により、他方の光学系による光ディスクの傾きの検出に悪影響を及ぼした。
【００１０】
そこで、本発明は、上記従来の問題点に鑑みてなされたものであり、ＣＤやＤＶＤ等の記録もしくは再生を行う少なくとも２つの光ピックアップを備えることを前提とし、光ディスクの半径方向におけるチルト量の検出位置を記録もしくは再生位置に対して調整しつつ、チルト量の検出と記録もしくは再生を同時に行うことが可能な光ディスクドライブ装置及び光ピックアップのチルト補正方法を提供することを目的とする。
【００１１】
【課題を解決するための手段】
上記課題を解決するために、本発明の光ディスクドライブ装置は、少なくとも２つの光ピックアップと、該各光ピックアップを光ディスクの半径方向に移動させるそれぞれのガイド手段と、該各光ピックアップの少なくとも一方に設けられ、光ディスクの傾きを検出するチルト検出手段と、該各光ピックアップの少なくとも他方に設けられ、チルト検出手段の検出結果に応じて、光ディスクに対する光ピックアップからのレーザー光軸の傾きを調節するチルト補正手段とを備え、該各光ピックアップの一方ではチルト検出手段による光ディスクの傾きの検出を行い、該各光ピックアップの他方では光ディスクの記録もしくは再生とチルト補正手段による光ピックアップからのレーザー光軸の傾きの調節を行っている。
【００１２】
この様な構成の本発明によれば、ＣＤやＤＶＤ等の記録もしくは再生を行う少なくとも２つの光ピックアップを備えることを前提としており、各光ピックアップの一方ではチルト検出手段による光ディスクの傾きの検出を行い、他方では光ディスクの記録もしくは再生とチルト補正手段による光ピックアップからのレーザー光軸の傾きの調節を行っている。このため、例えば各光ピックアップを光ディスクの半径方向の同一位置に位置決めし、この位置で光ディスクの傾きの検出、記録もしくは再生、及び光ピックアップからのレーザー光軸の傾きの調節を行うことができる。また、各光ピックアップのフォーカスを別々に合わせるので、光ディスクの傾きの検出位置及び光ディスクの記録もしくは再生を共に良好に行うことができる。
【００１３】
また、本発明においては、チルト検出手段を設けた他方の光ピックアップからのレーザー光軸の傾きが光ディスクを載せるターンテーブルの面に対して０となる様に、該ターンテーブルの面に対する該他方の光ピックアップのガイド手段の位置を調節固定している。
【００１４】
これにより、チルト検出手段による光ディスクの傾きの検出精度が向上する。
【００１５】
更に、本発明においては、各光ピックアップをそれぞれのガイド手段により光ディスクの半径方向に移動させ、チルト検出手段を設けた一方の光ピックアップの移動をチルト補正手段を設けた他方の光ピックアップの移動よりも先行させ、光ディスクの半径方向の同一位置では、一方の光ピックアップのチルト検出手段による光ディスクの傾きの検出をチルト補正手段による他方の光ピックアップからのレーザー光軸の傾きの調節よりも先行させている。
【００１６】
光ディスクの傾きの検出位置を光ディスクの記録もしくは再生位置よりも常に適宜に先行させれば、記録もしくは再生位置での光ディスクの傾きの検出から傾きの調節までのタイムラグを相殺することができる。
【００１７】
また、本発明においては、チルト補正手段を設けた他方の光ピックアップ側で光ディスクの記録もしくは再生に関する初期設定を行っている間に、チルト検出手段を設けた一方の光ピックアップをガイド手段により光ディスクの半径方向に移動させて、チルト検出手段により光ディスクの傾きを検出している。
【００１８】
この様に他方の光ピックアップ側で光ディスクの記録もしくは再生に関する初期設定を行っている間に、一方の光ピックアップを光ディスクの半径方向に移動させて、チルト検出手段により光ディスクの傾きを検出すれば、光ディスクの記録もしくは再生開始前に、光ディスクの半径方向の位置に対する光ディスクの傾きの特性を検出することができる。
【００１９】
更に、本発明においては、チルト検出手段により検出された光ディスクの傾きを記憶するメモリを備えている。
【００２０】
この様なメモリを用いれば、メモリ内の光ディスクの傾きを光ディスクの記録もしくは再生のときに読み出して、この光ピックアップからのレーザー光軸の傾きをチルト補正手段により補正することができる。
【００２１】
一方、本発明の光ピックアップのチルト補正方法は、第１光ピックアップを光ディスクの半径方向に移動させつつ、第１光ピックアップによる光ディスクの記録もしくは再生を行い、光ディスクの半径方向における第１光ピックアップの位置を検出するステップと、この検出された第１光ピックアップの位置もしくは該位置近傍に、第２光ピックアップを移動させて、第２光ピックアップ側で光ディスクの傾きを検出するステップと、この検出された光ディスクの傾きに応じて、第１光ピックアップからのレーザー光軸の傾きの調節を行うステップとを含んでいる。
【００２２】
この様な本発明のチルト補正方法によっても、本発明の光ディスクドライブ装置と同様の作用及び効果を達成することができる。
【００２３】
【発明の実施の形態】
以下、本発明の実施形態を添付図面を参照して詳細に説明する。
【００２４】
図１は、本発明の光ディスクドライブ装置の第１実施形態を示している。本実施形態の光ディスクドライブ装置１０は、ＣＤ及びＤＶＤの光ディスクに対応可能なものであって、ＣＤ用光ピックアップ１１及びＤＶＤ用光ピックアップ１２を備えている。
【００２５】
この光ディスクドライブ装置１０においては、スピンドルモータ１３をメインシャーシ１４に固定し、スピンドルモータ１３の上端にターンテーブル１５を固定している。光ディスク１６をターンテーブル１５に載せ、光ディスク１６をターンテーブル１５とクランパー１７間に把持し、スピンドルモータ１３により光ディスク１６を回転させる。
【００２６】
また、ガイド軸１８の両端をメインシャーシ１４下面に固定し、ＣＤ用光ピックアップ１１をガイド軸１８により光ディスク１６の半径方向に移動自在に支持し、ＣＤ用光ピックアップ１１を搬送機構１９によりガイド軸１８に沿って移動させる。
【００２７】
ＣＤ用光ピックアップ１１は、レーザー光を対物レンズ１１ａを通じて光ディスク１６へと出射し、光ディスク１６で反射されたレーザー光を対物レンズ１１ａを通じて受光する。
【００２８】
ＣＤ用光ピックアップ１１の上側には、発光素子２１及び受光素子２２からなるチルトセンサー２３を配置している。チルトセンサー２３は、光ディスク１６の記録面の傾き角（チルト量）を検出する。ＣＤ用光ピックアップ１１の向きは、メインシャーシ１４に対するガイド軸１８の位置決めにより設定される。このガイド軸１８の位置決めは、光ディスクドライブ装置１０の初期調整時に行われるものであって、ターンテーブル１５のディスク受け面を光ディスクの記録面として想定し、その上でＣＤ用光ピックアップ１１からのレーザー光がターンテーブル１５のディスク受け面に垂直に入射する様に行われる。この調整は、例えば標準ディスク、テスト信号が記録されたディスク、を用いて信号出力が最も良くなる傾きにガイド軸１８を調整する事によって行われる。この調整完了時に、チルトセンサー２３の検出出力が０となる様にチルトセンサー２３を調節する。
【００２９】
一方、サブシャーシ２４の一端を軸２４ａによりメインシャーシ１４に連結して、サブシャーシ２４を傾斜可能に支持し、サブシャーシ２４の他端を支持部材２９によりメインシャーシ１４に対して昇降自在に支持している。そして、サブシャーシ２４の他端を高さ調節機構２５により昇降させ、サブシャーシ２４の傾きを調節する。また、ガイド軸２６の両端をサブシャーシ２４の上面に固定し、ＤＶＤ用光ピックアップ１２をガイド軸２６により光ディスク１６の半径方向に移動自在に支持し、ＤＶＤ用光ピックアップ１２を搬送機構２７によりガイド軸２６に沿って移動させる。高さ調節機構２５によりサブシャーシ２４の傾きが調節されると、ガイド軸２６及びＤＶＤ用光ピックアップ１２の傾きが変更され、光ディスク１６のチルト量が補正される。
【００３０】
ＤＶＤ用光ピックアップ１２は、レーザー光を対物レンズ１２ａを通じて光ディスク１６へと出射し、光ディスク１６で反射されたレーザー光を対物レンズ１２ａを通じて受光する。
【００３１】
尚、高さ調節機構２５によるＤＶＤ用光ピックアップ１２の傾きの調節を可能にするために、高さ調節機構２５により昇降されるサブシャーシ２４の他端の高さとＤＶＤ用光ピックアップ１２の傾きとの関係を予め明確にしておく。
【００３２】
制御部２８は、ＣＤ用光ピックアップ１１、ＤＶＤ用光ピックアップ１２、スピンドルモータ１３、各搬送機構１９，２７、及び高さ調節機構２５等を制御したり、チルトセンサー２３の検出出力を入力する。
【００３３】
さて、この様な構成の光ディスクドライブ装置１０において、光ディスク１６がＤＶＤである場合は、ＤＶＤ用光ピックアップ１２による光ディスク１６の記録もしくは再生が行われる。ＤＶＤ用光ピックアップ１２は、搬送機構２７によりガイド軸２６に沿って移動されつつ、レーザー光を光ディスク１６に出射し、光ディスク１６で反射されたレーザー光を受光して、光ディスク１６の記録もしくは再生を行う。同時に、ＤＶＤ用光ピックアップ１２は、光ディスク１６の半径方向の位置を示す位置情報（例えばトラックのアドレス情報）を光ディスク１６から読取り、この位置情報を制御部２８に与える。制御部２８は、搬送機構１９を制御して、ＣＤ用光ピックアップ１１をガイド軸１８に沿って移動させ、位置情報によって示される光ディスク１６の半径方向の位置までチルトセンサー２３の検出位置を移動させる。これにより、チルトセンサー２３の検出位置が光ディスク１６の記録もしくは再生位置に常に一致する。
【００３４】
チルトセンサー２３は、光ディスク１６の記録もしくは再生位置で、光ディスク１６のチルト量を検出する。制御部２８は、高さ調節機構２５を駆動制御し、チルトセンサー２３の検出出力によって示されるチルト量に応じてサブシャーシ２４の傾きを変更し、ガイド軸２６及びＤＶＤ用光ピックアップ１２の傾きを調節する。これにより、ＤＶＤ用光ピックアップ１２からのレーザー光が光ディスク１６の記録面に垂直に入射し、光ディスク１６のチルト量が補正される。
【００３５】
この様に本実施形態の光ディスクドライブ装置１０では、チルトセンサー２３をＣＤ用光ピックアップ１１に設け、ＤＶＤ用光ピックアップ１２の傾きを調節するためのサブシャーシ２４及び高さ調節機構２５等を設け、ＣＤ用光ピックアップ１１及びＤＶＤ用光ピックアップ１２をそれぞれのガイド軸１８，２６に沿って移動させつつ、光ディスク１６の記録もしくは再生位置をＤＶＤ用光ピックアップ１２により読取り、この位置で光ディスク１６のチルト量をＣＤ用光ピックアップ１１のチルトセンサー２３により検出し、この検出されたチルト量に応じてＤＶＤ用光ピックアップ１２の傾きを調節して、光ディスク１６のチルト量を補正している。このため、光ディスク１６の半径方向のいずれの位置でも、ＤＶＤ用光ピックアップ１２からのレーザー光が光ディスク１６の記録面に垂直に入射されて、コマ収差が抑えられ、光ディスクの記録エラーや再生エラーが防止される。
【００３６】
ＤＶＤの光ディスクについては、記録密度が高いことから、ＤＶＤ用光ピックアップ１２の傾きが僅かであっても、この傾きを調節して、光ディスク１６のチルト量を補正し、コマ収差を抑えねばならない。このため、ＤＶＤ用光ピックアップ１２の傾きを調節するためのサブシャーシ２４及び高さ調節機構２５等を設けている。
【００３７】
一方、ＣＤの光ディスクについては、ＤＶＤのものと比較して記録密度が低く、ＣＤ用光ピックアップ１１の光学系の構成も簡単であることから、その記録もしくは再生に際し、ＣＤ用光ピックアップ１１の傾きを格別に調節する必要がない。このため、ＣＤ用光ピックアップ１１の傾きを調節するための格別の機構を設けておらず、ＣＤ用光ピックアップ１１の傾きを光ディスクドライブ装置１０の初期調整時に設定するだけである。従って、ＣＤの光ディスクの記録もしくは再生に際しては、チルトセンサー２３によるチルト量の検出を行う必要がない。
【００３８】
尚、光ディスク１６の記録もしくは再生位置をＤＶＤ用光ピックアップ１２により読取り、この位置よりも先行した適宜の位置で光ディスク１６のチルト量をＣＤ用光ピックアップ１１のチルトセンサー２３により検出し、この検出されたチルト量に応じてＤＶＤ用光ピックアップ１２の傾きを調節しても良い。この様にチルトセンサー２３の検出位置を記録もしくは再生位置よりも先行させれば、チルト量の検出からＤＶＤ用光ピックアップ１２の傾きの調節までのタイムラグを相殺することができる。
【００３９】
また、ＤＶＤの光ディスクの記録もしくは再生のときに、ＣＤ用光ピックアップ１１を移動させて、チルトセンサー２３によるチルト量の検出を行う代わりに、記録もしくは再生開始前に行なわれるＤＶＤ用光ピックアップ１２のレーザーパワー等の初期設定時に、ＣＤ用光ピックアップ１１を移動させて、チルトセンサー２３によるチルト量の検出を行っても良い。この場合は、光ディスクの半径方向の位置に対するチルト量の特性を求めて、この特性をメモリ（図示せず）に記憶しておき、光ディスクの記録もしくは再生に際し、光ディスクの半径方向の記録もしくは再生位置を求めて、この記録もしくは再生位置に対応するチルト量をメモリから読み出し、このチルト量に応じてＤＶＤ用光ピックアップ１２の傾きを調節して、チルト量を補正する。
【００４０】
従来にも、光ディスクの記録もしくは再生開始前に光ピックアップを移動させて、光ディスクの半径方向の位置に対するチルト量の特性を求めることがあったが、記録もしくは再生とチルト量の検出が同一の光ピックアップで行なわれるため、この特性を求めるための時間を格別に必用とした。また、記録密度が高く、相変化媒体が用いられる光ディスクの場合は、記録もしくは再生開始前に行なわれる光ピックアップのレーザーパワー等の初期設定に長い時間（例えば３０秒）を必要とした。このため、光ディスクの記録もしくは再生開始前にチルト量を検出するならば、光ディスクの記録もしくは再生を開始するまでの時間が非常に長くなった。
【００４１】
本実施形態の様にＤＶＤ用光ピックアップ１２のレーザーパワー等の初期設定時に、ＣＤ用光ピックアップ１１を移動させて、チルトセンサー２３によるチルト量の検出を行い、光ディスクの半径方向の位置に対するチルト量の特性をメモリに記憶すれば、光ディスクの記録もしくは再生を開始するまでの時間が延びることはない。
【００４２】
また、ＣＤ及びＤＶＤの光ディスクの組み合わせだけではなく、他の組み合わせでも構わない。例えば、ＤＶＤ及ブルーレイの光ディスク（Ｂｌｕｅ−ｒａｙ  Ｄｉｓｃ）の組み合わせが考えられる。このブルーレイの光ディスクは、記録密度がＤＶＤよりも更に高い次世代のものであり、その記録もしくは再生に際しては、ブルーレイ用光ピックアップからのレーザー光軸の傾きの調節が必要である。このため、ＤＶＤ及ブルーレイの光ディスクの組み合わせの場合は、ＤＶＤ用光ピックアップ１２及びブルーレイ用光ピックアップのいずれの傾きも調節することになる。
【００４３】
ブルーレイ用光ピックアップからのレーザー光軸の傾きを調節するために、ＤＶＤ用光ピックアップ１２と同様に、サブシャーシ２４及び高さ調節機構２５等を用いても構わない。また、レーザー光が通過するブルーレイ用光ピックアップの対物レンズの傾きを変更する機構を適用し、対物レンズの傾きの変更によりレーザー光を光ディスクの記録面に垂直に入射させて、チルト量を補正しても良い。ＤＶＤ用光ピックアップ１２についても、サブシャーシ２４及び高さ調節機構２５等の代わりに、対物レンズの傾きを変更する機構を適用しても構わない。対物レンズの傾き補正は、アクチュエータによって実現可能であり、ＤＶＤ再生装置において実用化されている技術である。更に、周知の他の方法によりチルト量を補正しても良い。
【００４４】
また、チルトセンサー２３は、ＤＶＤ用光ピックアップ１２及びブルーレイ用光ピックアップのいずれか一方に設ける。例えば、チルトセンサー２３をＤＶＤ用光ピックアップ１２に設ける。この場合は、ブルーレイの光ディスクの記録もしくは再生に際し、ＤＶＤ用光ピックアップ１２及びブルーレイ用光ピックアップを移動させつつ、光ディスクの記録もしくは再生位置をブルーレイ用光ピックアップにより読取り、この半径位置で光ディスク１６のチルト量をＤＶＤ用光ピックアップ１２のチルトセンサー２３により検出し、この検出されたチルト量に応じてブルーレイ用光ピックアップからのレーザー光軸方向を調節して、チルトを補正する。また、ＤＶＤの光ディスクの記録もしくは再生に際しては、ＤＶＤ用光ピックアップ１２だけを移動させつつ、光ディスク１６のチルト量をＤＶＤ用光ピックアップ１２のチルトセンサー２３により検出し、この検出されたチルト量に応じてＤＶＤ用光ピックアップ１２からのレーザー光軸方向を調節して、チルトを補正する。
【００４５】
チルトセンサー２３を２つの光ピックアップのいずれに設けても構わないが、チルトセンサー２３を持たない光ピックアップに対応する光ディスクについては、カートリッジ等に収納された状態で記録もしくは再生が行なわれないことが前提条件となる。カートリッジ等に収納された状態で記録もしくは再生が行なわれることがあるならば、チルトセンサー２３を持たない光ピックアップの部位でカートリッジ等が開口しても、光ディスクと他方の光ピックアップのチルトセンサー２３間がカートリッジ等により遮断されてしまい、チルト量の検出が不可能になるからである。
【００４６】
また、ＤＶＤ及ブルーレイの光ディスクのいずれについても、記録もしくは再生開始前に行なわれる光ピックアップのレーザーパワー等の初期設定に長い時間を要する。このため、先に述べた様にチルトセンサー２３を持たない光ピックアップのレーザーパワー等の初期設定時に、他方の光ピックアップを移動させて、チルトセンサー２３によるチルト量の検出を行い、光ディスクの半径方向の位置に対するチルト量の特性をメモリに記憶することが望ましい。
【００４７】
図２は、本発明の光ディスクドライブ装置の第２実施形態を示している。尚、図２において、図１と同様の作用を果たす部位には同じ符号を付す。
【００４８】
本実施形態の光ディスクドライブ装置１０Ａは、ＤＶＤ及びブルーレイの光ディスクに対応可能なものであって、ＤＶＤ用光ピックアップ１２及びブルーレイ用光ピックアップ３１を備えている。
【００４９】
ブルーレイ用光ピックアップ３１は、ＤＶＤ用光ピックアップ１２と同様に、サブシャーシ３２の上面に設けられたガイド軸３３により光ディスクの半径方向に移動自在に支持され、搬送機構３４によりガイド軸３３に沿って移動される。
サブシャーシ３２は、その一端を軸３２ａによりメインシャーシ１４に連結され、その他端を支持部材３８によりメインシャーシ１４に対して昇降自在に支持されて、その他端を高さ調節機構３５により昇降され、その傾きを調節される。これにより、ガイド軸３３及びブルーレイ用光ピックアップ３１の傾きが変更され、光ディスク１６のチルト量が補正される。
【００５０】
ＤＶＤ用光ピックアップ１２及びブルーレイ用光ピックアップ３１には、それぞれのチルトセンサー３６，３７を搭載している。各チルトセンサー３６，３７は、周知のものである（例えば、スタンレー電気（株）のＫＵ１６８（商品名））。各チルトセンサー３６，３７を搭載した後に、湾曲や反りのない標準ディスクをターンテーブル１５に載せて、各高さ調節機構２５，３５により各チルトセンサー３６，３７の傾きを変更しつつ、記録もしくは再生特性が最も良くなる各高さ調節機構２５，３５の調節高さを求め、このときの各チルトセンサー３６，３７の出力によって示されるそれぞれのチルト量を標準チルト量、チルト０（セロ）とし、これらの標準チルト量を各高さ調節機構２５，３５の調節高さに対応させてメモリ（図示せず）に記憶させる。また、搭載前に求められた各チルトセンサー３６，３７の感度測定データに基づいて、チルト感度（単位チルト量当たりの出力）を求め、このチルト感度もメモリに記憶させる。
【００５１】
この光ディスクドライブ装置１０Ａにおいては、光ディスク１６がＤＶＤである合は、ＤＶＤ用光ピックアップ１２を移動させつつ、光ディスク１６の記録もしくは再生を行い、光ディスク１６の半径方向の位置を示す位置情報を光ディスク１６から読取り、この位置情報を制御部２８に与える。制御部２８は、搬送機構３４を制御して、ブルーレイ用光ピックアップ３１を移動させ、位置情報によって示される光ディスク１６の半径方向の位置までチルトセンサー３７の検出位置を移動させる。これにより、チルトセンサー３７の検出位置がＤＶＤ用光ピックアップ１２の記録もしくは再生位置に常に一致する。
【００５２】
チルトセンサー３７は、ＤＶＤ用光ピックアップ１２の記録もしくは再生位置で、光ディスク１６のチルト量を検出する。制御部２８は、チルトセンサー３７によって検出されたチルト量、先に述べたメモリ内の標準チルト量、標準チルト量に対応する高さ調節機構２５の調節高さ、及びチルトセンサー３７のチルト感度に基づいて、検出されたチルト量が標準チルト量となる様な目標調節高さを求め、高さ調節機構２５を駆動制御して、高さ調節機構２５の調節高さを目標調節高さに設定する。これにより、ＤＶＤ用光ピックアップ１２の傾きが変更され、光ディスク１６のチルト量が補正されるので、ＤＶＤ用光ピックアップ１２からのレーザー光が光ディスク１６の記録面に垂直に入射するようになる。
【００５３】
また、光ディスク１６がブルーレイのものである合は、ブルーレイ用光ピックアップ３１を移動させつつ、光ディスク１６の記録もしくは再生を行い、光ディスク１６の半径方向の位置を示す位置情報を光ディスク１６から読取り、この位置情報を制御部２８に与える。制御部２８は、搬送機構２７を制御して、ＤＶＤ用光ピックアップ１２を移動させ、位置情報によって示される光ディスク１６の半径方向の位置までチルトセンサー３６の検出位置を移動させる。これにより、チルトセンサー３６の検出位置がブルーレイ用光ピックアップ３１の記録もしくは再生位置に常に一致する。
【００５４】
チルトセンサー３６は、ブルーレイ用光ピックアップ３１の記録もしくは再生位置で、光ディスク１６のチルト量を検出する。制御部２８は、チルトセンサー３６によって検出されたチルト量、先に述べたメモリ内の標準チルト量（チルト０）、標準チルト量に対応する高さ調節機構３５の調節高さ、及びチルトセンサー３６のチルト感度に基づいて、検出されたチルト量が標準チルト量となる様な目標調節高さを求め、高さ調節機構３５を駆動制御して、高さ調節機構３５の調節高さを目標調節高さに設定する。これにより、ブルーレイ用光ピックアップ３１の傾きが変更され、光ディスク１６のチルト量が補正されるので、ブルーレイ用光ピックアップ３１からのレーザー光が光ディスク１６の記録面に垂直に入射するようになる。
【００５５】
更に、ＤＶＤの光ディスクがカートリッジに収納されている場合は、光ディスクとチルトセンサー３７間がカートリッジ等により遮断され、チルトセンサー３７によるチルト量の検出が不可能になる。そこで、ＤＶＤ用光ピックアップ１２により光ディスク１６の記録もしくは再生を行いつつ、チルトセンサー３６により光ディスク１６のチルト量を検出し、制御部２８により高さ調節機構２５を駆動制御して、チルトセンサー３６によって検出されたチルト量に応じたＤＶＤ用光ピックアップ１２の傾きの調整を行う。これにより、光ディスク１６のチルト量が補正されるので、ＤＶＤ用光ピックアップ１２からのレーザー光が光ディスク１６の記録面に垂直に入射するようになる。
【００５６】
また、ブルーレイの光ディスクがカートリッジに収納されている場合は、光ディスクとチルトセンサー３６間がカートリッジ等により遮断され、チルトセンサー３６によるチルト量の検出が不可能になる。そこで、ブルーレイ用光ピックアップ３１により光ディスク１６の記録もしくは再生を行いつつ、チルトセンサー３７により光ディスク１６のチルト量を検出し、制御部２８により高さ調節機構３５を駆動制御し、チルトセンサー３７によって検出されたチルト量に応じたブルーレイ用光ピックアップ３１の傾きの調整を行う。これにより、光ディスク１６のチルト量が補正されるので、ブルーレイ用光ピックアップ３１からのレーザー光が光ディスク１６の記録面に垂直に入射するようになる。
【００５７】
この様に本実施形態の光ディスクドライブ装置１０Ａでは、ＤＶＤ用光ピックアップ１２及びブルーレイ用光ピックアップ３１のいずれによる記録もしくは再生のときでも、各チルトセンサー３６，３７を選択的に用いることができ、光ディスク１６がカートリッジに収納されているか否かにかかわらず、チルト量の補正が可能である。
【００５８】
尚、光ディスク１６がカートリッジに収納されていないで、ＤＶＤ用光ピックアップ１２による記録もしくは再生とチルトセンサー３７による検出を並行して行ったり、ブルーレイ用光ピックアップ３１による記録もしくは再生とチルトセンサー３６による検出を並行させる場合は、光ディスク１６の記録もしくは再生位置よりも先行した適宜の位置で光ディスク１６のチルト量をチルトセンサーにより検出し、チルト量の検出から光ピックアップからのレーザー光軸の傾きの調節までのタイムラグを相殺しても良い。
【００５９】
また、記録もしくは再生開始前に行なわれる光ピックアップのレーザーパワー等の初期設定時に、他の光ピックアップを移動させて、チルトセンサーによるチルト量の検出を行い、光ディスクの半径方向の位置に対するチルト量の特性をメモリに記憶しておき、メモリ内のチルト量の特性を用いて、記録もしくは再生を行う光ピックアップからのレーザー光軸の傾きを半径位置によって調節し、チルト量を補正しても構わない。
【００６０】
【発明の効果】
以上説明した様に本発明によれば、ＣＤやＤＶＤ等の記録もしくは再生を行う少なくとも２つの光ピックアップを備えることを前提としており、各光ピックアップの一方ではチルト検出手段による光ディスクの傾きの検出を行い、他方では光ディスクの記録もしくは再生とチルト補正手段による光ピックアップからのレーザー光軸の傾きの調節を行っている。このため、例えば各光ピックアップを光ディスクの半径方向の同一位置に位置決めし、この位置で光ディスクの傾きの検出、記録もしくは再生、及び光ピックアップからのレーザー光軸の傾きの調節を行うことができる。また、各光ピックアップのフォーカスを別々に合わせるので、光ディスクの傾きの検出位置及び光ディスクの記録もしくは再生を共に良好に行うことができる。
【００６１】
また、光ディスクの傾きの検出位置を光ディスクの記録もしくは再生位置よりも常に適宜に先行させることにより、記録もしくは再生位置での光ディスクの傾きの検出から傾きの調節までのタイムラグを相殺している。
【００６２】
更に、光ディスクの記録もしくは再生に関する初期設定を行っている間に、チルト検出手段により光ディスクの傾きを検出しているので、光ディスクの記録もしくは再生開始前に、光ディスクの半径方向の位置に対する光ディスクの傾きの特性を検出することができる。
【図面の簡単な説明】
【図１】本発明の光ディスクドライブ装置の第１実施形態を示す側面図である。
【図２】本発明の光ディスクドライブ装置の第２実施形態を示す側面図である。
【図３】従来の光ディスクドライブ装置を示す側面図である。
【符号の説明】
１０，１０Ａ    光ディスクドライブ装置
１１    ＣＤ用光ピックアップ
１２    ＤＶＤ用光ピックアップ
１３    スピンドルモータ
１４    メインシャーシ
１５    ターンテーブル
１６    光ディスク
１７    クランパー
１８，２６，３３    ガイド軸
１９，２７，３４    搬送機構
２１    発光素子
２２    受光素子
２３，３６，３７    チルトセンサー
２４，３２    サブシャーシ
２５，３５    高さ調節機構
２８    制御部
２９，３８    支持部材
３１    ブルーレイ用光ピックアップ
【図１】
2004158080.tif 000003
【図２】
2004158080.tif 000004
【図３】
2004158080.tif 000005